(57)【要約】【課題】  本発明の課題は、送風機の騒音に対する各音域の吸音効果を向上させ、周囲の静音化を実現した送風機用の低騒音装置を提供することを目的とするものである。【課題手段】  送風機１が内装される筐体２に吸込口４と吹出口５とを開口し、少なくとも吸込口４に吸音機能を有する吸気カバー６を取り付けた送風機用の低騒音装置において、吸気カバー６は、筐体２の吸込口４に取り付けた状態で、筐体２の吸込口４と外気を連通する非直線的に通気路を形成し、筐体２の吸込口４と対面する内面に、吸音特性の異なる複数の吸音構造を積層した吸音層９を形成した。【選択図】図２
2009127436.tif 000002
【特許請求の範囲】
【請求項１】
送風機が内装される筐体に吸込口と吹出口とを開口し、少なくとも吸込口に吸音機能を有する吸気カバーを取り付けた送風機用の低騒音装置において、
前記吸気カバーは、筐体の吸込口に取り付けた状態で、筐体の吸込口と外気を連通する非直線的に通気路を形成し、筐体の吸込口と対面する内面に、吸音特性の異なる複数の吸音構造を積層した吸音層を形成したことを特徴とする送風機用の低騒音装置。
【請求項２】
前記吸音層は、騒音源から吸気カバーの内面にかけて、アルミ焼結材・グラスウール・空気層の順に形成したことを特徴とする上記請求項１記載の送風機用の低騒音装置。
【発明の詳細な説明】
【技術分野】
【０００１】
本発明は、送風機で発生する騒音を軽減する装置に関するものである。
【背景技術】
【０００２】
送風機から発生する騒音は、周囲環境に悪影響を与えている。例えば、洗車機に搭載される送風機においては、地域住民の住環境に深刻な騒音被害を与えており、トラブルの原因となるケースが増えている。そこで、近年では送風機の駆動音をできるだけ外部に漏らさないようするため、送風機を吸音壁で囲繞するものが提案されている（特許文献１）。
【０００３】
ところで、こうした吸音構造では、吸音能力そのものは送風機を囲繞する吸音壁の吸音性能に依存されている。一般的に吸音材として広く用いられるグラスウールは、高音域から中音域にかけての吸音率が高く、低音域の吸音率が低いという特徴があるため、送風機の騒音域（３００〜１０００Ｈｚ）に対する吸音材としてはやや能力不足となる。そこで、吸音材の背面に空気層を設け、低音域の吸音率を向上させることが行われてきた。こうしたグラスウールと背後空気層による吸音構造によれば、送風機の騒音域に対して平均的な吸音効果を発揮させることが可能となる。
【０００４】
しかしながら、音圧レベルで見た場合、送風機の騒音域は中音域について高い音圧を示しているため、相対的に中音域を中心とした透過音が発生してしまうことになる。よって、この中音域に対して、更なる吸音効果の向上が求められているのが現状であった。
【特許文献１】特開２００５−３１５２１８号
【発明の開示】
【発明が解決しようとする課題】
【０００５】
本発明が解決しようとする課題は、送風機の騒音に対する各音域の吸音効果を向上させ、周囲の静音化を実現した送風機用の低騒音装置を提供することを目的とするものである。
【課題を解決するための手段】
【０００６】
本発明は、このような課題を解決するために、送風機が内装される筐体に吸込口と吹出口とを開口し、少なくとも吸込口に吸音機能を有する吸気カバーを取り付けた送風機用の低騒音装置において、前記吸気カバーは、筐体の吸込口に取り付けた状態で、筐体の吸込口と外気を連通する非直線的に通気路を形成し、筐体の吸込口と対面する内面に、吸音特性の異なる複数の吸音構造を積層した吸音層を形成したものである。吸音層は、騒音源から吸気カバーの内面にかけて、アルミ焼結材・グラスウール・空気層の順に形成している。
【発明の効果】
【０００７】
本発明によれば、送風機の各音域に対する吸音効果が高まり、周囲に漏れ出す騒音を低減させることができる。特に、アルミ焼結材・グラスウール・空気層を、騒音源から吸気カバーの内面にかけて順に配置した吸音層により、送風機の騒音で音圧レベルが高くなる中音域に対して吸音効果を高めることができ、効率よく低騒音が実現される。
【実施例】
【０００８】
以下、図面を基に、本発明の実施例について説明する。図１は送風機用の低騒音装置を示す説明図である。
１は送風機で、金属製の厚板で形成された筐体２内に防振用のゴム脚３を取り付けた状態で収容されている。筐体２は、上面に送風機１の吸込口と連通する吸気口４を開口し、一側面に送風機１の送風口が接続される吹出口５を開口している。尚、必要に応じて筐体２の内面に吸音材を取り付け、遮音性を高めるようにしても良い。また、吸気効率を上げるため、吸気口４を筐体２の複数面に開口させても良い。
【０００９】
吸気口４には、ボックス状の吸気カバー６が取り付けられている。吸気カバー６は、筐体２の上面に取り付けた状態で、筐体２の側方に指向する吸気口７を開口し、筐体２の吸気口４と吸気カバー６の吸気口７とを連通する通気路８を形成するものである。この通気路８は、送風機１が駆動したときの吸気路として機能するだけでなく、送風機１の排熱を促進する排熱路としても機能する。また、吸気カバー６は、筐体２の吸気口４と対面する内面に吸音層９を形成し、送風機１の騒音が外部へ漏れ出すのを防止する役割も果たしている。
【００１０】
吸音層９は、図２に示すように、筐体２の吸気口４から吸気カバー６の内壁にかけて、アルミ焼結材１０・グラスウール１１・空気層１２の順で積層され、筐体２の吸気口４から直線的に漏れ出す送風機１の騒音を吸音するものである。具体的には、吸気カバー６の内壁に垂設される空間形態用のリブ１３と、アルミ焼結材１０とによってグラスウール１１を挟持して形成されている。
【００１１】
吹出口５には、吸音管１４が接続される。吸音管１４は、吹出口５と連通して送風機１からの送風を吹き出す内筒１５と、この内筒１５の周囲に空気層１６を介装して取り付けられる外筒１７との二重構造をなし、吹出口５を通じて漏れ出す送風機１の騒音を吸音するものである。このうち内筒１５は、アルミ焼結材から構成されており、アルミ焼結材と背後空気層１６により、送風機の騒音が低音域を中心に減衰され、外部への漏洩が防止される。
【００１２】
このように構成する送風機用の低騒音装置は、例えば洗車機の送風機に採用される。洗車機においては、車体に高圧風を吹き付けて乾燥をはかる乾燥ノズルへの給気手段として用いられ、吸音管１４の内筒１５先端に、ダクトホースを接続してノズルに送風することになる。
【００１３】
次に、実施例について、送風機使用時の吸音作用について説明する。
送風機１は、金属製の厚板で形成された筐体２内に実装されているため、駆動時の静音化が図られている。加えて、送風機１は、防振用のゴム脚を取り付けた状態で収容されているため、送風機の駆動により筐体自体が振動して騒音源となることが軽減される。
【００１４】
送風機１で発生した騒音は、筐体２の吸気口４及び吹出口５で、それぞれ吸気カバー６及び吸音管１４によって外部への漏洩が抑制される。すなわち、吸気口４からの騒音は吸気カバー６の吸音層９によって吸音され、吹出口５からの騒音は内筒１５によって吸音される。吸音層９では、アルミ焼結材１０及びグラスウール１１によるエネルギー変換と、空気層１２による共鳴効果によって吸音が図られ、各音域に対して均一な吸音効果が発揮される。
【００１５】
さて、吸音層９における各音域に対する吸音効果は、空気層１２の厚さに起因する部分が大きい。例えば、図３に示すように、グラスウール１１の背後空気層１２を１００ｍｍに設定すると、３００〜１０００Ｈｚの中音域に対する吸音率が高まり（実線）、背後空気層１２を３００ｍｍに設定すると、１２０〜１０００Ｈｚの低中音域に対する吸音率が高まる（点線）。また、アルミ焼結材１０の背後空気層１２を１００ｍｍに設定すると、４００〜１０００Ｈｚの中音域に対する吸音率が高まり（一点破線）、背後空気層１２を５０ｍｍに設定すると、１０００〜２０００Ｈｚの高音域に対する吸音率が高まる（二点破線）。
【００１６】
送風機の騒音は、図４に示すように、３００〜１０００Ｈｚを中心に分布しており、特に５００〜７００Ｈｚの音圧レベルが高いという特徴がある（太線）。このため、空気層１２の厚さを１００ｍｍに設定することで、送風機の騒音に対する各音域での吸音効果を高めることができる。また、アルミ焼結材１０と空気層１２の組み合わせ及びグラスウール１１と空気層１２の組み合わせによるそれぞれの吸音効果が、特に４００〜１０００Ｈｚの中音域で重複して高まるので、送風機の騒音で音圧レベルの高い中音域を重点的に吸音することができる（細線）。
【００１７】
このように、吸音層９は、吸気口４と対面する吸気カバー６の内面に形成されているので、音源（送風機）からの直進伝搬波に対して作用し、外部への漏洩を効率よく低減することが可能となる。
【図面の簡単な説明】
【００１８】
【図１】実施例の低騒音装置を示す説明図である。
【図２】吸音層９の構成を示す説明図である。
【図３】吸音材と背後空気層による吸音性能を示すグラフ図である。
【図４】吸音層９による送風機１の吸音効果を示すグラフ図である。
【符号の説明】
【００１９】
１    送風機
２    筐体
４    吸気口
５    吹出口
６    吸気カバー
８    通気路
９    吸音層
１０  アルミ焼結材
１１  グラスウール
１２  空気層
【図１】
2009127436.tif 000003
【図２】
2009127436.tif 000004
【図３】
2009127436.tif 000005
【図４】
2009127436.tif 000006